(57)【要約】 【課題】たとえ不測の事態に直面したとしても、簡単な操作で特定相手に緊急連絡を行うことができるほか、その相手に連絡が取れないときでも、自ら進むべき適切な経路を案内できるようにする。 【解決手段】ＣＰＵ１１は、予め決められている相手に連絡するために迷子ボタンＬＢが操作された際に、アドレス帳ＡＤを参照して、その連絡先の相手端末を特定して電話通信部１５から電話発信を行った際に、その相手と通話することができなかった場合に、自己の現在位置から所定の目標位置までの経路を取得して案内出力する。 【選択図】  図２
2008192027.tif 000002
【特許請求の範囲】
【請求項１】
予め決められている相手に連絡するために所定操作が行われた際に、その連絡先の相手端末を特定する特定手段と、
この特定手段によって特定された相手端末の電話番号を取得してその電話番号宛に電話発信を行う電話発信手段と、
自己の現在位置を取得する自己位置取得手段と、
前記電話発信手段によって電話発信を行ってもその相手と通話することができなかった場合に、前記自己位置取得手段によって得られた自己の現在位置から所定の目標位置までの経路を取得して案内出力する経路案内手段と、
を具備したことを特徴とする携帯端末装置。
【請求項２】
特定モードを設定するモード設定手段と、
前記所定操作が行われた際に、前記特定モードに設定されているか否かを判別する判別手段と、
を更に設け、前記判別手段によって特定モードであると判別された場合に、前記特定手段は、相手端末の特定を行う、
ようにしたことを特徴とする請求項１記載の携帯端末装置。
【請求項３】
前記電話発信手段によって電話発信を行ってもその相手と通話することができなかった場合に、前記特定された相手端末の電子メールアドレスを取得してそのメールアドレス宛に前記所定キーが操作されたことを通知するメール通知手段を更に設けた、
ことを特徴とする請求項１記載の携帯端末装置。
【請求項４】
前記電話発信手段によって電話発信を行ってもその相手と通話することができなかった場合に、当該相手端末の現在位置の送信要求を行い、それに応答して返信される相手の現在位置を受信取得する相手位置取得手段を更に設け、
この相手位置取得手段によって得られた相手の現在位置を前記目標位置として、前記経路案内手段は、前記自己位置取得手段によって得られた自己の現在位置から前記相手の現在位置までの経路を取得して案内出力する、
ようにしたことを特徴とする請求項１記載の携帯端末装置。
【請求項５】
前記自己位置取得手段によって自己の現在位置を逐次取得しながら前記相手位置取得手段によって相手の現在位置を逐次取得している状態において、前記経路案内手段は、その位置変化に対応した内容の経路を逐次取得して案内出力する、
ようにしたことを特徴とする請求項４記載の携帯端末装置。
【請求項６】
予め任意に登録された位置を記憶する位置記憶手段を更に設け、
前記相手位置取得手段によって相手の現在位置を取得できなかった場合に、前記登録位置を目標位置として、前記経路案内手段は、自己の現在位置から当該登録位置までの経路を取得して案内出力する、
ようにしたことを特徴とする請求項４記載の携帯端末装置。
【請求項７】
前記経路案内手段によって経路を案内出力するほか、この経路を前記特定された相手端末に対して送信する、
ようにしたことを特徴とする請求項１記載の携帯端末装置。
【請求項８】
コンピュータに対して、
予め決められている相手に連絡するために所定操作が行われた際に、その連絡先の相手端末を特定する機能と、
前記特定された相手端末の電話番号を取得してその電話番号宛に電話発信を行う機能と、
自己の現在位置を取得する機能と、
電話発信を行ってもその相手と通話することができなかった場合に、前記自己の現在位置から所定の目標位置までの経路を取得して案内出力する機能と、
を実現させるためのプログラム。
【発明の詳細な説明】
【技術分野】
【０００１】
この発明は、自己の現在位置から目標位置までの経路を取得して案内出力する携帯端末装置及びプログラムに関する。
【背景技術】
【０００２】
近年、携帯電話装置は、その多機能化に伴ってＧＰＳ（Global Positioning System）機能、ナビゲーション機能が搭載されており、現在位置に基づいて目標位置までの経路を案内出力するようにしたものが知られている（特許文献１参照）。
このようなナビゲーション機能付の携帯電話装置にあっては、メニュー画面をオープンさせる操作を行ったのちに、このメニュー画面の中からナビゲーション機能を探し出して選択指定するほか、目標位置を入力指定するなど、一連の操作を行う必要があるため、緊急時などのように気が動転しているとき、操作に不慣れな子供、お年寄りなどでは、ナビゲーション機能を十分に使いこなせないという問題があった。
そこで、従来では、例えば、緊急ボタンを操作することによって特定相手に対して緊急通報を行うと共に、現在位置を取得してその相手に送信するようにした技術が知られている（特許文献２参照）。
【特許文献１】特開２００４−２９４４２９号公報
【特許文献２】特開２００５−２２３６７０号公報
【発明の開示】
【発明が解決しようとする課題】
【０００３】
しかしながら、上述のような緊急通報を行う技術にあっては、通報先である相手が電話にでることができない、電話の位置から離れているなど、相手の現在の状況を一切考慮しないため、相手が通報に気付くまでは、不測の事態に直面したユーザ（例えば、親と離れた子供）にあっては、どのように対処したらよいかが分からず、対応が遅れたり、事態を悪化させてしまうことがあった。
【０００４】
この発明の課題は、たとえ不測の事態に直面したとしても、簡単な操作で特定相手に緊急連絡を行うことができるほか、その相手に連絡が取れないときでも、自ら進むべき適切な経路を案内できるようにすることである。
【課題を解決するための手段】
【０００５】
請求項１記載の発明は、予め決められている相手に連絡するために所定操作が行われた際に、その連絡先の相手端末を特定する特定手段と、この特定手段によって特定された相手端末の電話番号を取得してその電話番号宛に電話発信を行う電話発信手段と、自己の現在位置を取得する自己位置取得手段と、前記電話発信手段によって電話発信を行ってもその相手と通話することができなかった場合に、前記自己位置取得手段によって得られた自己の現在位置から所定の目標位置までの経路を取得して案内出力する経路案内手段とを具備したことを特徴とする。
更に、コンピュータに対して、上述した請求項１記載の発明に示した主要機能を実現させるためのプログラムを提供する（請求項８記載の発明）。
【０００６】
なお、上述した請求項１記載の発明は次のようなものであってもよい。
特定モードを設定するモード設定手段と、前記所定操作が行われた際に、前記特定モードに設定されているか否かを判別する判別手段とを更に設け、前記判別手段によって特定モードであると判別された場合に、前記特定手段は、相手端末の特定を行う（請求項２記載の発明）。
【０００７】
前記電話発信手段によって電話発信を行ってもその相手と通話することができなかった場合に、前記特定された相手端末の電子メールアドレスを取得してそのメールアドレス宛に前記所定キーが操作されたことを通知するメール通知手段を更に設ける（請求項３記載の発明）。
【０００８】
前記電話発信手段によって電話発信を行ってもその相手と通話することができなかった場合に、当該相手端末の現在位置の送信要求を行い、それに応答して返信される相手の現在位置を受信取得する相手位置取得手段を更に設け、この相手位置取得手段によって得られた相手の現在位置を前記目標位置として、前記経路案内手段は、前記自己位置取得手段によって得られた自己の現在位置から前記相手の現在位置までの経路を取得して案内出力する（請求項４記載の発明）。
【０００９】
請求項４記載の発明において、前記自己位置取得手段によって自己の現在位置を逐次取得しながら前記相手位置取得手段によって相手の現在位置を逐次取得している状態において、前記経路案内手段は、その位置変化に対応した内容の経路を逐次取得して案内出力するようにしてもよい（請求項５記載の発明）。また、予め任意に登録された位置を記憶する位置記憶手段を更に設け、前記相手位置取得手段によって相手の現在位置を取得できなかった場合に、前記登録位置を目標位置として、前記経路案内手段は、自己の現在位置から当該登録位置までの経路を取得して案内出力するようにしてもよい（請求項６記載の発明）。
【００１０】
前記経路案内手段によって経路を案内出力するほか、この経路を前記特定された相手端末に対して送信する（請求項７記載の発明）。
【発明の効果】
【００１１】
この発明は、たとえ不測の事態に直面したとしても、簡単な操作で特定相手に緊急連絡を行うことができるほか、その相手に連絡が取れないときでも、自ら進むべき適切な経路案内によって誘導することができ、対応の遅れ、事態の悪化などを確実に回避することができる。
【発明を実施するための最良の形態】
【００１２】
以下、図１〜図９を参照して本発明の実施例を説明する。
図１は、携帯端末装置として適用した携帯電話装置の通信ネットワークシステムを示したブロック図である。
携帯電話装置１は、電話機能（通話機能）、メール機能、インターネット接続機能（Ｗｅｂアクセス機能）のほか、現在位置を取得するＧＰＳ機能、ナビゲーション機能を備えている。このナビゲーション機能は、在地周辺の地図あるいは目的地周辺の地図を受信取得して案内出力するほか、現在位置から目標位置までの経路案内地図を受信取得して案内出力するものである。
【００１３】
この携帯電話装置１は、公衆携帯通信網（公衆移動体通信網）２を介して管理サーバ３との間において、公衆携帯通信網２を構成する最寄りの基地局４、交換機５を介して位置登録応答が行われるが、その際、携帯電話装置１は、ＧＰＳ衛星６からの受信結果を管理サーバ３に送信して位置情報の要求を行い、管理サーバ３は、このＧＰＳ情報に基づいて携帯電話装置１の現在位置を算出し、この算出位置を要求元の携帯電話装置１に送信するようにしている。なお、管理サーバ３は、ユーザ毎にその加入者電話番号及びメールアドレスを記憶管理するほか、各携帯電話装置１の現在の位置情報を定期的に更新するようにしている。
【００１４】
また、管理サーバ３は、地図上に現在位置から目的地（目標位置）までの経路などを案内する位置情報サービス（ナビゲーションサービス）を提供するコンテンツサーバとしても機能し、携帯電話装置１は、公衆携帯通信網２を介して管理サーバ３に接続し、この管理サーバ３からナビゲーション情報（経路案内地図）を受信取得し、目的地までの経路を案内表示するほか、必要に応じて右左折などの音声案内を行うようにしている。
【００１５】
図２は、携帯電話装置１の基本的な構成要素を示したブロック図である。
ＣＰＵ１１は、記憶部１２内の各種のプログラムに応じて携帯電話装置１の全体動作を制御する中核的な中央演算処理装置である。記憶部１２は、内部メモリであり、プログラム領域とデータ領域とを有し、このプログラム領域には、後述する図４〜図６に示す動作手順に応じて本実施例を実現するためのプログラムが格納されている。また、そのデータ領域には、後述するアドレス帳ＡＤ、登録位置メモリＭＰなどが設けられている。外部記録メディア１３は、着脱自在な可搬型メモリで、録画コンテンツなど、各種のデータ・プログラムを外部供給するもので、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００１６】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得したコンテンツ（例えば、地図情報など）は、表示制御部１９を介してメイン表示部２０に与えられて表示出力される。
【００１７】
キー操作部２１は、ダイヤル入力、文字入力、コマンド入力などを行うもので、このキー操作部２１には、数値／文字入力キー、ダイヤルキーなどのほか、お出かけモード設定キーＭＫ、迷子ボタン（アスタリスクキー）ＬＢが設けられており、ＣＰＵ１１は、キー操作部２１からのキー入力信号に応じた処理を実行する。お出かけモード設定キーＭＫは、外出する際に迷子対策として設定される動作モードである。迷子ボタンＬＢは、アスタリスクキーを兼用したもので、「お出かけモード」下でのワンタッチ操作で迷子になったことを指示する迷子ボタンとして機能し、「お出かけモード」以外では、アスタリスクキーあるいは濁点キーなどとして機能する。ＧＰＳ受信部２２は、ＧＰＳ衛星６と地上局とを利用して現在位置（経緯度情報）を受信するもので、ＣＰＵ１１は、定期的（例えば、１分間隔毎）にＧＰＳ受信部２２をアクセスして現在位置を受信取得する。
【００１８】
図３は、アドレス帳ＡＤ、登録位置メモリＭＰを説明するための図である。
アドレス帳ＡＤは、通信相手毎に、その相手に関する情報を記憶管理するもので、「相手名前」、「電話番号」、「メールアドレス」、「通知フラグ」の各項目を有し、その内容は、ユーザ操作によって任意に設定された情報である。「通知フラグ」は、不測の事態に直面した場合（子供などのユーザが迷子になった場合）に、迷子ボタンＬＢがワンタッチ操作された際、そのことを誰に連絡するかを特定するためのフラグで、図示のように「母」に対応して「通知フラグ（丸印）」がセットされていれば、迷子時の緊急連絡先として「母」の「電話番号」を読み出してその電話番号宛に電話発信を行うようにしている。
【００１９】
ここで、「通知フラグ」がセットされている相手に緊急連絡するために、その電話番号宛に電話発信を行っても、その相手の携帯電話装置（以下、相手端末と呼称する）との通話接続が確立されなかった場合、あるいは通話接続が確立されても留守機能によってその相手と直接通話することができなかった場合に、ＣＰＵ１１は、ＧＰＳ受信部２２から自己の現在位置を取得するほか、管理サーバ３に対して当該相手端末の現在位置の取得要求を行い、これによって相手の現在位置を取得したときには、自己の現在位置から相手の現在位置までの経路を管理サーバ３から受信取得して案内出力させるようにしている。
【００２０】
登録位置メモリＭＰは、ＧＰＳ受信部２２から予め取得した任意の場所の位置情報（経緯度情報）が登録されるメモリで、迷子になった際に、この登録位置までの経路を案内する際に利用されるもので、例えば、自宅、駅、施設入場口などの待ち合わせ場所の位置が登録される。ＣＰＵ１１は、上述のように、管理サーバ３に対して相手端末の現在位置の取得要求を行った際に、その相手の位置情報を取得することができなかった場合には、登録位置メモリＭＰから位置情報を読み出し、自己の現在位置から登録位置までの経路を管理サーバ３から受信取得して案内出力させるようにしている。
【００２１】
次に、この実施例の動作概念を図４〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２２】
図４〜図６は、電源投入に伴って実行開始される携帯電話装置１の全体動作を示したフローチャートである。また、図７〜図９は、管理サーバ３側の動作を示したフローチャートである。
先ず、携帯電話装置１において、ＣＰＵ１１は、電話通信部５を作動させて現在位置を登録する待受処理を行うと共に（ステップＡ１）、所定の待受画像を読み出して表示出力させながら電話／メールの待受状態となる（ステップＡ２）。この状態において、電話／メール着信有りを検出すると（ステップＡ２でＹＥＳ）、着信メロディなどを発生出力させる着信報知を行うと共に、電話あるいはメールの着信処理を実行する（ステップＡ３）。
【００２３】
また、待受状態において、何らかの操作が行われると（ステップＡ４でＹＥＳ）、お出かけモード設定キーＭＫが操作されたのか（ステップＡ５）、迷子ボタン（アスタリスクキー）ＬＢが操作されたのかを調べ（ステップＡ８）、そのほかの操作であれば（ステップＡ８でＮＯ）、この操作対応の処理として、電話発信処理、メール作成処理、アドレス帳登録処理などを実行する（ステップＡ１０）。ここで、例えば、親が子供を連れて外出するような場合に、親は子供所持の携帯電話装置１を使用し、そのアドレス帳ＡＤをオープンして「相手名前」から自分を探し出して、「通信フラグ」をセットするアドレス帳登録処理を行ったのち、お出かけモード設定キーＭＫを操作する。
【００２４】
なお、上述の例では、「通信フラグ」のセット操作、お出かけモード設定キーＭＫの操作を親が代行するようにしたが、勿論、本人が行うようにしてもよい。いま、お出かけモード設定キーＭＫが操作されると（ステップＡ５でＹＥＳ）、ＣＰＵ１１は、その操作に応じて「お出かけモード」にセットするほか（ステップＡ６）、お出かけモード画面を表示させる（ステップＡ７）。なお、お出かけモード画面は、例えば、親などとはぐれたときには迷子ボタンＬＢを操作すべきことをアニメーション風に表示するようにしたものである。このように子供所持の携帯電話装置１を「お出かけモード」に設定したのち、親はこの携帯電話装置１を子供に渡すほか、自分の携帯電話装置１を所持して外出する。
【００２５】
ここで、迷子ボタン（アスタリスクキー）ＬＢが操作されたときには（ステップＡ８でＹＥＳ）、「お出かけモード」にセットされているか否かを調べ（ステップＡ９）、「お出かけモード」以外での操作であれば、アスタリスクキー、濁音キーなどが操作されたものとして、それに応じた処理に移る（ステップＡ１０）。いま、外出中に親とはぐれたとき、子供は親に緊急連絡するために、お出かけモード画面の指示内容に従って迷子ボタンＬＢをワンタッチ操作する。このように「お出かけモード」下で迷子ボタンＬＢが操作されたときには（ステップＡ９でＹＥＳ）、アドレス帳ＡＤを検索し、「通信フラグ」がセットされている相手の「電話番号」を読み出して（ステップＡ１１）、この電話番号宛に電話発信を行う（ステップＡ１２）。
【００２６】
その結果、相手端末（親の携帯電話装置）との通話接続が確立された場合には（ステップＡ１３でＹＥＳ）、通話可能状態となり（ステップＡ１４）、迷子になったことを緊急連絡する。そして、通話終了操作を行うと（ステップＡ１５）、待受状態に戻る（ステップＡ１）。一方、相手に緊急連絡するためにその電話番号宛に電話発信を行っても、相手端末との通話接続が確立されなかった場合、あるいは通話接続が確立されても留守機能によってその相手と直接通話することができなかった場合（ステップＡ１３でＮＯ）、ＣＰＵ１１は、アドレス帳ＡＤを検索し、「通信フラグ」がセットされている相手の「メールアドレス」を読み出すと共に（ステップＡ１６）、迷子ボタンＬＢが操作されたことを示す緊急連絡メールを作成してそのメールアドレス宛に送信する（ステップＡ１７）。そして、「通信フラグ」がセットされている相手の「電話番号」でその相手の現在位置を探索すべきことを管理サーバ３に対して要求する（ステップＡ１８）。
【００２７】
図７は、管理サーバ３側において携帯電話装置１から相手位置要求を受信した際に実行開始されるフローチャートである。
先ず、管理サーバ３は、携帯電話装置１から相手位置要求と共に送信されてきた当該相手の「電話番号」を受信すると（ステップＢ１）、この「電話番号」に基づいて相手端末の現在位置を当該相手の「電話番号」の基地局登録から計算する（ステップＢ２）。この場合、管理サーバ３側では、電話番号毎に位置登録されている登録内容（基地局エリア）を参照し、その相手（電話番号）に対応付けて登録されている基地局２を特定して当該相手の現在位置として求める。
【００２８】
その結果、当該相手が居る基地局エリアの登録有無に基づいて相手の現在位置を特定することができたか否かを調べ（ステップＢ３）、相手側の基地局エリアが登録されておらず、その相手位置の特定が不可能なときには（ステップＢ３でＹＥＳ）、相手位置取得不可を要求元の携帯電話装置１に送信するが（ステップＢ４）、相手側の基地局エリアが登録されていて、その相手位置の特定が可能なときには（ステップＢ３でＮＯ）、その相手の現在位置を要求元の携帯電話装置１に送信する（ステップＢ５）。
【００２９】
このように相手位置要求に応答して管理サーバ３側からその要求結果を受信すると、その要求元である携帯電話装置１は、その受信内容に基づいて相手位置の取得有無を調べ（図４のステップＡ１９）、相手の現在位置を受信取得したときには（ステップＡ１９でＹＥＳ）、図５のフローに移り、相手位置までの経路を案内するナビゲーション処理（ステップＡ２０〜Ａ２６）を実行し、また、相手位置取得不可を受信したときには（ステップＡ１９でＮＯ）、図６のフローに移り、登録位置までの経路を案内するナビゲーション処理を実行する（ステップＡ２７〜Ａ３３）。
【００３０】
先ず、ＣＰＵ１１は、相手位置までの経路を案内するナビゲーション処理を実行するために、ナビゲーション用アプリケーションを起動したのち（図５のステップＡ２０）、ＧＰＳ受信部２２から自己の現在位置を取得する（ステップＡ２１）。そして、自己の現在位置から相手の現在位置（相手の端末位置）までの経路案内要求（１）を自己の現在位置と相手の電話番号と共に管理サーバ３に対して送信する（ステップＡ２２）。これによって管理サーバ３側では、この経路案内要求（１）に応答して後述する経路案内地図作成処理（図８のフロー）を実行する。携帯電話装置１は、管理サーバ３から経路案内地図を受信すると（ステップＡ２３）、この経路案内地図をメイン表示部２０から出力させる（ステップＡ２４）。
【００３１】
なお、この経路案内地図は、幼児でも容易に理解可能な内容で現在地から相手位置までの経路がアニメーション風に表示するようにしたものである（以下、同様）。そして、ＣＰＵ１１は、アドレス帳ＡＤを検索し、「通信フラグ」がセットされている相手の「メールアドレス」を読み出すと共に、経路案内地図を添付した緊急連絡メールを作成してそのメールアドレス宛に送信する（ステップＡ２５）。以下、ナビゲーション終了の指示操作が行われるまで（ステップＡ２６）、上述のステップＡ２１に戻り、以下、刻々変化する自己の現在位置を逐次送信しながら上述の動作を繰り返す。そして、ナビゲーションの終了が指示されると（ステップＡ２６でＹＥＳ）、管理サーバ３に対してナビゲーション終了要求を送信する（ステップＡ２７）。
【００３２】
図８は、管理サーバ３側において携帯電話装置１からの経路案内要求（１）を受信した際に実行開始されるフローチャートである。
先ず、管理サーバ３は、要求元の現在位置と相手の電話番号とを受信すると（ステップＣ１）、この「電話番号」に基づいて相手端末の現在位置を当該相手の「電話番号」の基地局登録から計算したのち（ステップＣ２）、要求元の現在位置から相手の現在位置までの最適な経路を計算する（ステップＣ３）。そして、要求元の現在位置から相手の現在位置までの経路案内地図を作成したのち（ステップＣ４）、この経路案内地図を要求元の携帯電話装置１に送信する（ステップＣ５）。以下、要求元側からナビゲーションの終了指示があるまで（ステップＣ６）、上述のステップＣ１に戻り、以下、刻々と変化する位置情報から新たな経路案内地図を作成して要求元に逐次送信する動作を繰り返す。
【００３３】
また、ＣＰＵ１１は、登録位置までの経路を案内するナビゲーション処理を実行するために、ナビゲーション用アプリケーションを起動したのち（図６のステップＡ２８）、ＧＰＳ受信部２２から自己の現在位置を取得する（ステップＡ２９）。そして、登録位置メモリＭＰから登録位置（例えば、自宅位置）を読み出し、自己の現在位置から登録位置までの経路案内要求（２）を自己の現在位置と登録位置と共に管理サーバ３に対して送信する（ステップＡ３０）。これによって管理サーバ３側では、この経路案内要求（２）に応答して後述する経路案内地図作成処理（図９のフロー）を実行する。
【００３４】
携帯電話装置１は、管理サーバ３から経路案内地図を受信すると（ステップＡ３１）、この経路案内地図をメイン表示部２０から出力させる（ステップＡ３２）。そして、ＰＵ１１は、アドレス帳ＡＤを検索し、「通信フラグ」がセットされている相手の「メールアドレス」を読み出すと共に、経路案内地図を添付した緊急連絡メールを作成してそのメールアドレス宛に送信する（ステップＡ３３）。以下、ナビゲーションの終了を指示する操作が行われるまで（ステップＡ３４）、上述のステップＡ２９に戻り、以下、刻々変化する自己の現在位置を逐次送信しながら上述の動作を繰り返す。そして、ナビゲーションの終了が指示されると（ステップＡ３４でＹＥＳ）、管理サーバ３に対してナビゲーション終了要求を送信する（ステップＡ３５）。
【００３５】
図９は、管理サーバ３側において携帯電話装置１からの経路案内要求（２）を受信した際に実行開始されるフローチャートである。
先ず、管理サーバ３は、要求元の現在位置と登録位置を受信すると（ステップＤ１）、この要求元の現在位置から登録位置までの最適な経路を計算する（ステップＤ２）。そして、要求元の現在位置から登録位置までの経路案内地図を作成したのち（ステッＤ３）、この経路案内地図を要求元の携帯電話装置１に送信する（ステップＤ４）。以下、要求元側からナビゲーションの終了指示があるまで（ステップＤ５）、上述のステップＤ１に戻り、以下、経路案内要求（２）を受信する毎に、刻々と変化する位置情報から新たな経路案内地図を作成して要求元に逐次送信する動作を繰り返す。
【００３６】
以上のように、この実施例においてＣＰＵ１１は、予め決められている相手に連絡するために迷子ボタンＬＢが操作された際に、アドレス帳ＡＤを参照して、その連絡先の相手端末を特定して電話通信部１５から電話発信を行った際に、その相手と通話することができなかった場合に、自己の現在位置から所定の目標位置までの経路を取得して案内出力するようにしたので、迷子になっても、簡単な操作で特定相手に緊急連絡することができるほか、その相手に連絡が取れないときでも、自ら進むべき適切な経路案内によって誘導することができ、対応の遅れ、事態の悪化などを確実に回避することができる。
【００３７】
迷子ボタン（アスタリスクキー）ＬＢが操作された際に、「お出かけモード」の設定有無を判別し、「お出かけモード」下での操作であれば、アドレス帳ＡＤを参照して相手端末を特定するようにしたので、キーの多機能化と共に、誤操作を防止する上で効果的なものとなる。
【００３８】
相手端末に対して電話発信を行ってもその相手と通話することができなかった場合に、相手端末のメールアドレスを取得してそのメールアドレス宛に迷子ボタンＬＢが操作されたことをメール送信するようにしたので、通話不能な状態でもメールにて緊急連絡を行うことができる。
【００３９】
相手端末に対して電話発信を行ってもその相手と通話することができなかった場合に、相手端末の現在位置の送信要求に行い、これに応答して管理サーバ３からの返信される相手の現在位置を受信すると、携帯電話装置１は、この相手位置を目標位置として、自己の現在位置から相手の現在位置までの経路案内地図を取得して出力するようにしたので、自分の相手との位置関係を確認しながら相手方向に進むことができる。
【００４０】
この場合、自己の現在位置、相手の現在位置が刻々と変化しても、それらの位置を逐次取得しながらその位置変化に対応した内容の経路案内地図を逐次取得して出力するようにしたので、互いに出会うまで移動後の経路を逐次案内することができる。
【００４１】
相手端末の現在位置の送信要求を行っても、その相手の現在位置を取得できなかったときには、登録位置メモリＭＰから登録位置（例えば、自宅位置）を読み出し、自己の現在位置から当該登録位置までの経路案内地図を取得して出力するようにしたので、その相手が通信圏外、通信不能でも経路案内を行うことができる。
【００４２】
携帯電話装置１は、管理サーバ３から経路案内地図を受信取得して出力するほかに、この経路案内地図を相手端末にも送信するようにしたので、互に端末画面を見ながら接近することができ、効率よく再開することが可能となる。
【００４３】
なお、上述した実施例においては、アスタリスクキーを迷子ボタンＬＢとして兼用するようにしたが、その他のキー、例えば、決定キーなどを兼用するようにしてもよい。また、「お出かけモード」下で装置本体の両側部に設けたサイドキーが同時に操作された際に、この同時押しを迷子ボタンＬＢの代替としてもよい。更に、キー操作に限らず、「お出かけモード」において、タッチパネル上へのタッチ操作であってもよく、また、例えば、２つの筐体（操作部筐体、表示部筐体）が開閉可能に取り付けられた折り畳み自在な携帯電話装置において、操作部筐体と表示部筐体とが閉じている状態から開いた状態に変えた際に、このオープン操作を迷子ボタンＬＢの代替としてもよい。
【００４４】
上述した実施例においては、現在位置から目標位置までの経路を案内出力するナビゲーション機能を子供所持の携帯電話装置に設けるようにしたが、親所持の携帯電話装置にも同様のナビゲーション機能を設けるようにしてもよい。この場合、親から子供への通話が不可能なときに、子供位置までの経路を案内することができ、子供と離れた場合でも素早く見つけ出すことが可能となる。
【００４５】
上述した実施例においては、親子で外出した際に、子供が親と離れてしまって迷子となった場合を例示したが、親子が別々に外出したり、子供が一人で外出したりする場合であっても同様に適用可能である。また、子供に限らず、お年寄り、障害者などであってもよい。また、迷子、迷い人に限らず、その他、不測の事態に直面した場合であってもよい。また、不測の事態に限らず、通常時でも効果的な活用するようにしてもよい。
【００４６】
その他、ナビゲーション機能付の携帯電話装置に限らず、例えば、ナビゲーション機能付のＰＤＡ・電子カメラ・電子腕時計・音楽再生機などの携帯端末装置であっても同様に適用可能である。
【図面の簡単な説明】
【００４７】
【図１】携帯端末装置として適用した携帯電話装置の通信ネットワークシステムを示したブロック図。
【図２】携帯電話装置１の基本的な構成要素を示したブロック図。
【図３】アドレス帳ＡＤ、登録位置メモリＭＰを説明するための図。
【図４】電源投入に伴って実行開始される携帯電話装置１の全体動作を示したフローチャート。
【図５】図４に続く、フローチャート。
【図６】図４に続く、フローチャート。
【図７】管理サーバ３側において携帯電話装置１から相手位置要求を受信した際に実行開始されるフローチャート。
【図８】管理サーバ３側において携帯電話装置１からの経路案内要求（１）を受信した際に実行開始されるフローチャート。
【図９】管理サーバ３側において携帯電話装置１からの経路案内要求（２）を受信した際に実行開始されるフローチャート。
【符号の説明】
【００４８】
１  携帯電話装置
２  公衆携帯通信網
３  管理サーバ
４  基地局
５  交換機
１１  ＣＰＵ
１２  記憶部
１５  電話通信
１７  受話スピーカ
１８  送話マイク
２０  メイン表示部
２１  キー操作部
２２  ＧＰＳ受信部
ＭＫ  お出かけモード設定キー
ＬＢ  迷子ボタン
ＡＤ  アドレス帳
ＭＰ  登録位置メモリ
【図１】
2008192027.tif 000003
【図２】
2008192027.tif 000004
【図３】
2008192027.tif 000005
【図４】
2008192027.tif 000006
【図５】
2008192027.tif 000007
【図６】
2008192027.tif 000008
【図７】
2008192027.tif 000009
【図８】
2008192027.tif 000010
【図９】
2008192027.tif 000011